(57)【要約】      （修正有）【課題】照明が点灯されていない不慣れなホテル等の寝室に入った場合等でもベッドの配置が分かるようにする。【解決手段】ベッドフレーム２０を、下部フレーム板２１と、下部フレーム板上に載置された透明板体２７と、透明板体上に載置された上部フレーム板２８と、透明板体の内端側に配置された発光体とを含んで構成し、発光体から出射された光により透明板体の外端側を光らせる。発光体を、少なくとも赤・緑・青の単色発光ダイオードがモールドされてなるＲＧＢ発光ダイオードモジュールをベーステープに所定間隔ごとに連設してなるＲＧＢ発光テープとすることにより、赤・緑・青・黄・シアン・マゼンタ・白の７色に発光制御したり、時間の経過とともに点滅制御したりする。【選択図】図１
2011015799.tif 000002
【特許請求の範囲】
【請求項１】
透明板体と、該透明板体に対向して配置された発光体とを含んでおり、前記発光体から前記透明板体を直接通過した光および前記透明板体の平行内面で全反射されながら該透明板体を通過した光を含む光が前記透明板体を光らせることを特徴とするベッド。
【請求項２】
透明板体と、該透明板体の内端側に対向して配置された発光体とを含んでおり、前記発光体から前記透明板体を直接通過した光および前記透明板体の平行内面で全反射されながら該透明板体を通過した光を含む光が前記透明板体の外端側を光らせることを特徴とするベッド。
【請求項３】
基台と、該基台に載置されたベッドフレームと、該ベッドフレームに載置されたマットとを備えるベッドにおいて、
前記ベッドフレームが、下部フレーム板と、該下部フレーム板上に載置された透明板体と、該透明板体上に載置された上部フレーム板と、前記透明板体の内端側に配置された発光体とを含んで構成されており、前記発光体から出射された光が前記透明板体を通して該透明板体の外端側を光らせることを特徴とするベッド。
【請求項４】
基台と、該基台に載置されたベッドフレームと、該ベッドフレームに載置されたマットとを備えるベッドにおいて、
前記ベッドフレームが、フレーム板と、該フレーム板上に載置された透明板体と、該透明板体の内端側に配置された発光体とを含んで構成されており、前記発光体から出射された光が前記透明板体を通して該透明板体の外端側を光らせることを特徴とするベッド。
【請求項５】
前記発光体が前記透明板体の内周端面に対向して配置され、前記発光体から出射された光が前記透明板体を通して該透明板体の外周端面を光らせることを特徴とする請求項１ないし４のいずれか１項に記載のベッド。
【請求項６】
前記発光体が前記透明板体の内端縁下面に対向して配置され、前記発光体から出射された光が前記透明板体を通して該透明板体の外端縁上面を光らせることを特徴とする請求項１ないし４のいずれか１項に記載のベッド。
【請求項７】
前記発光体が、少なくとも赤・緑・青の単色発光ダイオードがモールドされてなるＲＧＢ発光ダイオードモジュールをベーステープに所定間隔ごとに連設してなるＲＧＢ発光テープであることを特徴とする請求項１ないし６のいずれか１項に記載のベッド。
【請求項８】
前記ＲＧＢ発光ダイオードモジュールの少なくとも赤・緑・青の単色発光ダイオードのそれぞれに電流を供給し、前記ＲＧＢ発光ダイオードモジュールの発光を赤・緑・青・黄・シアン・マゼンタ・白の７色のいずれかの発光に制御する発光制御手段を備えたことを特徴とする請求項７記載のベッド。
【請求項９】
前記ＲＧＢ発光ダイオードモジュールの少なくとも赤・緑・青の単色発光ダイオードのそれぞれに供給する電流を時間の経過とともに点滅制御し、前記透明板体からの出射光が時間の経過とともに変化するように制御する発光制御手段を備えたことを特徴とする請求項７または８記載のベッド。
【発明の詳細な説明】
【技術分野】
【０００１】
本発明はベッドに関し、特に照明機能を備えるベッドに関する。
【背景技術】
【０００２】
例えば、深夜に不慣れなホテル等の宿泊施設の寝室に入った場合等に、寝室の照明が点灯されていなければ、宿泊客は、寝室のベッドや家具の配置が分からず、足の脛をベッド等の角にぶつけたりするなどの事故で痛い思いをすることがある。同様の事故は、ベッドで就寝中の夜中に目覚めて小用に立つ際にも起りうる。
【０００３】
このような不都合に対処する従来技術として、例えば特許文献１が知られている。特許文献１には、ベッドの基台の外方に側板を周設するベッドにおいて、基台と側板との間に発光ダイオード（ＬＥＤ）を照明灯とする照明設備空間を設けるとともに、側板を発光ダイオードの光が透過し得る透明体または半透明体の材質で形成したベッドが開示されている。
【先行技術文献】
【特許文献】
【０００４】
【特許文献１】特開２００１−１６９８６１号公報
【発明の概要】
【発明が解決しようとする課題】
【０００５】
しかしながら、特許文献１記載の技術では、大きな面積の側板の内側に発光ダイオードが配置されているので、比較的出力が大きい発光ダイオードが必要であり、省エネルギーの観点からすると好ましくないという問題点があった。
【０００６】
また、特許文献１記載の技術では、発光ダイオードを単に点灯させているだけであり、照明光の変化に乏しく美観に優れるものではないという問題点があった。
【０００７】
本発明は、上記従来の問題点を解決するためになされたもので、比較的小さな出力の発光体を使用することができるとともに、発光体からの光による間接照明によって装飾性を高めるようにしたベッドの提供を目的とする。
【課題を解決するための手段】
【０００８】
上記課題を解決するために、請求項１記載のベッドは、透明板体と、該透明板体に対向して配置された発光体とを含んでおり、前記発光体から前記透明板体を直接通過した光および前記透明板体の平行内面で全反射されながら該透明板体を通過した光を含む光が前記透明板体を光らせることを特徴とする。
【０００９】
請求項２記載のベッドは、透明板体と、該透明板体の内端側に対向して配置された発光体とを含んでおり、前記発光体から前記透明板体を直接通過した光および前記透明板体の平行内面で全反射されながら該透明板体を通過した光を含む光が前記透明板体の外端側を光らせることを特徴とする。
【００１０】
請求項３記載のベッドは、基台と、該基台に載置されたベッドフレームと、該ベッドフレームに載置されたマットとを備えるベッドにおいて、前記ベッドフレームが、下部フレーム板と、該下部フレーム板上に載置された透明板体と、該透明板体上に載置された上部フレーム板と、前記透明板体の内端側に配置された発光体とを含んで構成されており、前記発光体から出射された光が前記透明板体を通して該透明板体の外端側を光らせることを特徴とする。
【００１１】
請求項４記載のベッドは、基台と、該基台に載置されたベッドフレームと、該ベッドフレームに載置されたマットとを備えるベッドにおいて、前記ベッドフレームが、フレーム板と、該フレーム板上に載置された透明板体と、該透明板体の内端側に配置された発光体とを含んで構成されており、前記発光体から出射された光が前記透明板体を通して該透明板体の外端側を光らせることを特徴とする。
【００１２】
請求項５記載のベッドは、請求項１ないし４のいずれか１項に記載のベッドにおいて、前記発光体が前記透明板体の内周端面に対向して配置され、前記発光体から出射された光が前記透明板体を通して該透明板体の外周端面を光らせることを特徴とする。
【００１３】
請求項６記載のベッドは、請求項１ないし４のいずれか１項に記載のベッドにおいて、前記発光体が前記透明板体の内端縁下面に対向して配置され、前記発光体から出射された光が前記透明板体を通して該透明板体の外端縁上面を光らせることを特徴とする。
【００１４】
請求項７記載のベッドは、請求項１ないし６のいずれか１項に記載のベッドにおいて、前記発光体が、少なくとも赤・緑・青の単色発光ダイオードがモールドされてなるＲＧＢ発光ダイオードモジュールをベーステープに所定間隔ごとに連設してなるＲＧＢ発光テープであることを特徴とする。
【００１５】
請求項８記載のベッドは、請求項７記載のベッドにおいて、前記ＲＧＢ発光ダイオードモジュールの少なくとも赤・緑・青の単色発光ダイオードのそれぞれに電流を供給し、前記ＲＧＢ発光ダイオードモジュールの発光を赤・緑・青・黄・シアン・マゼンタ・白の７色のいずれかの発光に制御する発光制御手段を備えたことを特徴とする。
【００１６】
請求項９記載のベッドにおいて、請求項７または８記載のベッドにおいて、前記ＲＧＢ発光ダイオードモジュールの少なくとも赤・緑・青の単色発光ダイオードのそれぞれに供給する電流を時間の経過とともに点滅制御し、前記透明板体からの出射光が時間の経過とともに変化するように制御する発光制御手段を備えたことを特徴とする。
【発明の効果】
【００１７】
請求項１記載のベッドによれば、透明板体と、透明板体に対向して配置された発光体とを含んでおり、発光体から透明板体を直接通過した光および透明板体の平行内面で全反射されながら透明板体を通過した光を含む光が透明板体を光らせることにより、透明板体を光がほとんど失われることなしに通過するために比較的小さな出力の発光体で効率良く光らせることができるので省エネルギーとなり、また発光体の配置位置が比較的自由に選択できるためにベッドの設計の自由度を高めることができる。
【００１８】
請求項２記載のベッドによれば、透明板体と、透明板体の内端側に対向して配置された発光体とを含んでおり、発光体から透明板体を直接通過した光および透明板体の平行内面で全反射されながら透明板体を通過した光を含む光が透明板体の外端側を光らせることにより、透明板体を光がほとんど失われることなしに通過するために比較的小さな出力の発光体で効率良く光らせることができるので省エネルギーとなり、また発光体の配置位置が比較的自由に選択できるためにベッドの設計の自由度を高めることができる。
【００１９】
請求項３記載のベッドによれば、ベッドフレームが、下部フレーム板と、下部フレーム板上に載置された透明板体と、透明板体上に載置された上部フレーム板と、透明板体の内端側に配置された発光体とを含んで構成され、発光体から出射された光が透明板体を通して透明板体の外端側を光らせることができるので、ベッドフレームの外端側を光らせることができ、間接照明により宿泊客がベッドフレームに足の脛をぶつける等の事故を未然に防止することができるとともに、ベッドフレームの外端面が線状に発光するのでベッドの装飾性を高めることができる。
【００２０】
請求項４記載のベッドによれば、ベッドフレームが、フレーム板と、フレーム板上に載置された透明板体と、透明板体の内端側に配置された発光体とを含んで構成され、発光体から出射された光が透明板体を通して透明板体の外端側を光らせるので、ベッドフレームの外端側を光らせることができ、間接照明により宿泊客がベッドフレームに足の脛をぶつける等の事故を未然に防止することができるとともに、ベッドフレームの外縁上面が帯状に発光するのでベッドの装飾性を高めることができる。
【００２１】
請求項５記載のベッドによれば、発光体が透明板体の内周端面に対向して配置され、発光体から出射された光が透明板体を通して透明板体の外周端面を光らせることにより、ベッドフレームの最外周面が線状に発光するので、間接照明により宿泊客がベッドフレームに足の脛をぶつける等の事故を未然に防止することができるとともに、ベッドの装飾性を高めることができる。
【００２２】
請求項６記載のベッドによれば、発光体が透明板体の内端縁下面に対向して配置され、発光体から出射された光が透明板体を通して透明板体の外端縁上面を光らせることにより、ベッドフレームの外端縁上面が帯状に発光するので、間接照明により宿泊客がベッドフレームに足の脛をぶつける等の事故を未然に防止することができるとともに、ベッドの装飾性を高めることができる。
【００２３】
請求項７記載の発明によれば、発光体が、少なくとも赤・緑・青の単色発光ダイオードがモールドされてなるＲＧＢ発光ダイオードモジュールをベーステープに所定間隔ごとに連設してなるＲＧＢ発光テープであるので、ベッドフレームを多彩な色で光らせることができる。
【００２４】
請求項８記載の発明によれば、発光制御手段がＲＧＢ発光ダイオードモジュールの少なくとも赤・緑・青の単色発光ダイオードのそれぞれに電流を供給し、光の三原色の混合により、ＲＧＢ発光ダイオードモジュールの発光を赤・緑・青・黄・シアン・マゼンタ・白の７色のいずれかの発光に制御するので、ベッドフレームを多彩な色で光らせることができ、ベッドの装飾性を高めることができる。
【００２５】
請求項９記載の発明によれば、発光制御手段がＲＧＢ発光ダイオードモジュールの少なくとも赤・緑・青の単色発光ダイオードのそれぞれに供給する電流を時間の経過とともに点滅制御し、透明板体からの出射光が時間の経過とともに変化するように制御するので、ベッドフレームの発光を多彩な色に変化させて、ベッドの装飾性をより一層高めることができる。
【図面の簡単な説明】
【００２６】
【図１】本発明の実施例１に係るベッドの斜視図および要部断面図である。
【図２】実施例１に係るベッドの要部平面図である。
【図３】（Ａ）はＲＧＢ発光ダイオードモジュールの平面図、（Ｂ）はＲＧＢ発光テープの平面図、（Ｃ）はＲＧＢ発光テープを付設部材に付設した状態を示す展開図である。
【図４】発光ダイオードの発光パターンの一覧および混色を説明する図表である。
【図５】ベッド照明制御系のブロック図である。
【図６】実施例１に係るベッドの動作を示すフローチャートである。
【図７】透明板体の臨界角を説明する図である。
【図８】本発明の実施例２に係るベッドの斜視図および要部断面図である。
【図９】実施例１の変形例を示すベッドの斜視図である。
【図１０】実施例２の変形例を示すベッドの斜視図である。
【発明を実施するための形態】
【００２７】
以下、本発明の実施の形態について図面を参照して詳細に説明する。
【実施例１】
【００２８】
図１および図２は、本発明の実施例１に係るベッドＢＤ１を示す斜視図および平面図である。本実施例１に係るベッドＢＤ１は、基台１０と、ベッドフレーム２０と、マット３０と、ヘッドボード４０とから、その主要部が構成されている。
【００２９】
ベッドフレーム２０は、下部フレーム板２１と、床板２２と、下部フレーム板２１に形成された段差部２３と、段差部２３に固設された付設部材２４と、付設部材２４に付設されたＲＧＢ発光テープ２５と、段差部２３の外周縁側となるように下部フレーム板２１上に載置された透明板体２７と、透明板体２７上に載置された上フレーム板２８とから、その主要部が構成されている。なお、下部フレーム板２１、透明板体２７および上フレーム板２８は、図示しないビス、接着剤等の固定手段により一体化されている。
【００３０】
基台１０は、Ｕ字状の枠体でなり、床面の上に載置される。基台１０の上にベッドフレーム２０が載置されている。
【００３１】
ベッドフレーム２０は、ヘッドボード４０の取り付け箇所を除いたベッドの右手側サイド、足側サイドおよび左手側サイドの３辺（以下、３辺部と云う）にはみ出して（突出して）おり、ベッドフレーム２０の角部は全て、宿泊客などが足の脛をぶつけても怪我をしないように丸みを持たせられている。
【００３２】
下部フレーム板２１の上には、基台１０の長辺・短辺よりやや短い大きさの床板２２が配置され、床板２２の上には基台１０とほぼ同じ長辺・短辺を持つマット３０が載置されている。
【００３３】
３辺部の段差部２３の内側寄りに、ＲＧＢ発光テープ２５を付設する付設部材２４が配設されている。
【００３４】
ＲＧＢ発光テープ２５の前方（外周方向）には、ＲＧＢ発光テープ２５に所定間隔で連設されたＲＧＢ発光ダイオードモジュール２９（図３参照）からの出射光が入射されるように、アクリル樹脂等でなる透明板体２７の内周端面２７ｂ（図７参照）が配置されている。透明板体２７の外周端面２７ａ（図７参照）は、ベッドフレーム２０の外周端面に露呈させている。
【００３５】
透明板体２７は、アクリル樹脂等でなる透明な板体でなり、３辺部に沿ってＵ字状に形成されている。アクリル樹脂は、アクリル酸エステルあるいはメタクリル酸エステルの重合体で、透明性の高い非晶質の合成樹脂である。屈折率は、１．４９程度である。なお、透明板体２７は、着色されていてもよく、またガラス等の他の素材で形成されていてもよい。
【００３６】
透明板体２７の下平面２７ｄ（図７参照）を下フレーム板２１上に載置し、透明板体２７の上平面２７ｃ（図７参照）上に上部フレーム板２８を載置し、透明板体２７の保護と、ＲＧＢ発光ダイオードモジュール２９からの出射光の漏れを防止する。すなわち、下部フレーム板２１と上部フレーム板２８とが透明板体２７をサンドイッチ状に挟持して保護するとともに、透明板体２７の外周端面２７ａからだけ光が出射されるようにしてベッドフレーム２０の美観を保つようにしている。
【００３７】
次に、ＲＧＢ発光テープ２５を、図３（Ａ），（Ｂ），（Ｃ）を参照しながら詳細に説明する。なお、本実施例１では、発光体をＲＧＢ発光テープ２５としたが、発光体は、電球、蛍光管、有機エレクトロルミネッセンス素子等の他の発光体であっても、本発明を同様に適用することができる。
【００３８】
図３（Ａ）に示すように、ＲＧＢ発光ダイオードモジュール２９は、Ｒ（赤）・Ｇ（緑）・Ｂ（青）の３色の単色発光ダイオードを１辺が数ｍｍの正三角形の各頂点に配置し、これを合成樹脂等でモールドしてパッケージングしたものである。図３（Ｂ）に示すように、ＲＧＢ発光テープ２５は、ＲＧＢ発光ダイオードモジュール２９を、例えば、２．５ｃｍ間隔等の所定間隔ごとにベーステープに連設したものである。
【００３９】
図３（Ｃ）に示すように、例えば、３本のＲＧＢ発光テープ２５ａ，２５ｂおよび２５ｃが、右手側サイド、足側サイド、左手側サイドの各付設部材２４（図１参照）に連続的に付設されて、帯状の発光体とされている。
【００４０】
周知のように、ＲＧＢの３個の単色発光ダイオードを図３（Ａ）のように正三角形の各頂点上に配置して、個々の単色発光ダイオードを発光制御すると、光の三原色の混合により、図４（Ａ）に示す赤・緑・青・黄・シアン・マゼンタ・白の７色の光を得ることが可能である。なお、全ての単色発光ダイオードを消灯すると「黒」となる。また、図４（Ｂ）に示すように、ＲＧＢの３個の単色発光ダイオードに順番に駆動電圧を徐々に印加した場合には、赤（Ｒ）の単色発光ダイオードへの印加から緑（Ｇ）の単色発光ダイオードへの印加に移り変わる中間過程において赤（Ｒ）および緑（Ｇ）の光の混合により黄色の光が得られ、緑（Ｇ）の単色発光ダイオードへの印加から青（Ｂ）の単色発光ダイオードへの印加に移り変わる中間過程において緑（Ｇ）および青（Ｂ）の光の混合によりシアンの光が得られ、青（Ｂ）の単色発光ダイオードへの印加から赤（Ｒ）の単色発光ダイオードへの印加に移り変わる中間過程において青（Ｂ）および赤（Ｒ）の光の混合によりマゼンタの光が得られる。また、ＲＧＢ発光ダイオードモジュール２９の個々の単色発光ダイオードを点滅制御しているので、ＲＧＢ発光ダイオードモジュール２９を７色に発光させることが可能である。
【００４１】
さらに、図３（Ｂ）に示したＲＧＢ発光テープ２５では、個々のＲＧＢ発光ダイオードモジュール２９ａ，２９ｂ，…，２９ｎを、別々の色で点灯したり、全てを同一色にしたり、さらには点滅制御することが可能となっている。例えば、ＲＧＢ発光ダイオードモジュール２９ａを「赤」、ＲＧＢ発光ダイオードモジュール２９ｂを「緑」、ＲＧＢ発光ダイオードモジュール２９ｎを「白」で点灯したり、ＲＧＢ発光ダイオードモジュール２９ａ〜２９ｎを全て同一色の「マゼンタ」で点灯したり、個々のＲＧＢ発光ダイオードモジュール２９を点滅制御することが可能となっている。
【００４２】
次に、図５を参照しながら、ＲＧＢ発光テープ２５のＲＧＢ発光ダイオードモジュール２９を点滅制御するベッド照明制御系ＬＫを説明する。
【００４３】
ベッド照明制御系ＬＫは、制御部５１と、客室電源スイッチ５２ａおよびベッド照明制御系スイッチ５２ｂからなるフロントスイッチ５２と、７つの基本パターン選択スイッチ５４ａ〜５４ｇからなる基本パターン選択スイッチ群５４と、時計方向選択スイッチ５５ａおよび反時計方向選択スイッチ５５ｂからなる循環パターン選択スイッチ群５５と、右手側ＲＧＢ発光テープ２５ａと、足側ＲＧＢ発光テープ２５ｂと、左手側ＲＧＢ発光テープ２５ｃとを含んで構成されている。なお、図５中のヘッドボード用ＲＧＢ発光テープ５７およびヘッドボード用スイッチ５８は、本実施例１では使用せず、後述の実施例１および２の変形例で使用するので、ここでは詳述しない。
【００４４】
制御部５１は、図示省略のＣＰＵ（Ｃｅｎｔｒａｌ  Ｐｒｏｃｅｓｓｉｎｇ  Ｕｎｉｔ）、ＲＧＢ発光ダイオードモジュール２９を点滅制御するパターン（図４参照）の制御プログラムなどを格納したＲＯＭ（Ｒｅａｄ  Ｏｎｌｙ  Ｍｅｍｏｒｙ）、演算に使用するＲＡＭ（Ｒａｎｄｏｍ  Ａｃｃｅｓｓ  Ｍｅｍｏｒｙ）、信号の入出力用の各種ポート、ＲＧＢ発光テープ２５を駆動する電源のオン／オフを制御する機能などが含む。
【００４５】
フロントスイッチ５２は、ホテル等の宿泊施設のフロントに設置されており、個別の客室の電源を点滅制御する客室電源スイッチ５２ａと、ベッド照明制御系ＬＫの全体の電源を点滅制御するベッド照明制御系スイッチ５２ｂとからなる。ベッド照明制御系スイッチ５２ｂをオンにすれば、宿泊客が客室に入室する前に、ベッドＢＤ１の３辺部のＲＧＢ発光テープ２５を基本パターン（例えば、緑の一色）で点灯させたり、時計方向または反時計方向に７色の光が波の如く流れるように点滅させたりして、宿泊客を楽しませるようにすることも可能である。
【００４６】
基本パターン選択スイッチ群５４は、単色の基本パターンを選択可能なスイッチ群であり、７個の基本パターン選択スイッチ５４ａ、５４ｂ、…、５４ｇがある。各基本パターン選択スイッチ５４ａ、５４ｂ、…、５４ｇは、ＲＧＢ発光テープ２５の赤・緑・青・黄・シアン・マゼンタ・白の発光にそれぞれ対応している。
【００４７】
循環パターン選択スイッチ群５５は、多色の循環パターンを選択可能なスイッチ群であり、時計方向スイッチ５５ａと、反時計方向スイッチ５５ｂとがある。時計方向スイッチ５５ａをオンにすれば、ＲＧＢ発光テープ２５が基本パターン選択スイッチ群５４で選択された基本パターンの色の点滅を繰り返し、光があたかも波の如く時計方向（図２参照）に循環していくことになる。また、反時計方向スイッチ５５ｂをオンにすれば、ＲＧＢ発光テープ２５が基本パターン選択スイッチ群５４で選択された基本パターンの色の点滅を繰り返し、光があたかも波の如く、上述の時計方向スイッチ５５ａの単色発光循環とは反時計方向（図２参照）に循環していくことになる。
【００４８】
なお、基本パターン選択スイッチ群５４および循環パターン選択スイッチ群５５の特定の操作により、例えば、２〜４秒ごとに、赤（Ｒ）→緑（Ｇ）→青（Ｂ）→黄（Ｒ，Ｇ）→シアン（Ｇ，Ｂ）→マゼンタ（Ｒ，Ｂ）→白（Ｒ，Ｇ，Ｂ）→赤（Ｒ）→…と発光色が順次遷移する発光パターンとすることもできる。このようにすれば、多色の光が時計方向または反時計方向に虹の如く流れていくような間接照明を楽しむこともできる。
【００４９】
右手側ＲＧＢ発光テープ２５ａのＲＧＢ発光ダイオードモジュール２９は、制御部５１からの供給電流により点滅駆動される。同様に、足側ＲＧＢ発光テープ２５ｂおよび左手側ＲＧＢ発光テープ２５ｃのＲＧＢ発光ダイオードモジュール２９も、制御部５１からの供給電流により点滅駆動される。
【００５０】
また、右手側ＲＧＢ発光テープ２５ａ、足側ＲＧＢ発光テープ２５ｂおよび左手側ＲＧＢ発光テープ２５ｃのいずれか１つのＲＧＢ発光テープ２５を点滅駆動したり、いずれか２つのＲＧＢ発光テープ２５を点滅駆動することも可能である。
【００５１】
次に、このように構成された本実施例１に係るベッドＤＢ１の動作について、図６のフローチャートを参照しながら説明する。
【００５２】
宿泊客がホテル等の宿泊施設のフロントでチェックインする（ステップＳ１０１）。フロント担当者が、その宿泊客が使用する客室の電源スイッチ５２ａをオンにすると、その客室全体の電源が使用可能になる（ステップＳ１０２）。さらに、フロント担当者が、ベッド照明制御系スイッチ５２ｂをオンにすると、客室のベッド照明制御系ＬＫの電源が使用可能になる（ステップＳ１０３）。次に、制御部５１のメモリ（図示せず）内に記憶されている選択スイッチ情報がリセットされ、前の宿泊客の選択が消去される（ステップＳ１０４）。
【００５３】
宿泊客はフロントで指示された部屋番号の客室に行き、ルームキーを電源スイッチ兼用ホルダーに差し込むと、客室の電源が有効化され、予めプログラムされた発光パターンで、右手側ＲＧＢ発光テープ２５ａ、足側ＲＧＢ発光テープ２５ｂおよび左手側ＲＧＢ発光テープ２５ｃが発光する（ステップＳ１０５）。この発光が継続している間に、宿泊客が基本パターン選択スイッチ５４ａ〜５４ｇまたは時計方向選択スイッチ５５ａもしくは反時計方向選択スイッチ５５ｂに切り替えたか否かを監視し、基本パターン選択スイッチ５４ａ〜５４ｇまたは時計方向選択スイッチ５５ａもしくは反時計方向選択スイッチ５５ｂをオンにしなければ、この発光を継続する（ステップＳ１０６：Ｎｏ）。
【００５４】
宿泊客が基本パターン選択スイッチ５４ａ〜５４ｇまたは時計方向選択スイッチ５５ａもしくは反時計方向選択スイッチ５５ｂを選択すると（例えば、緑）（ステップＳ１０６：Ｙｅｓ）、ＲＧＢ発光テープ２５は、選択された基本パターン選択スイッチ５４ａ〜５４ｇまたは時計方向選択スイッチ５５ａもしくは反時計方向選択スイッチ５５ｂに対応したパターンで発光をする（この場合は緑）（ステップＳ１０７）。
【００５５】
このようにすれば、宿泊客は客室にいる間は基本パターン選択スイッチ５４ａ〜５４ｇまたは時計方向選択スイッチ５５ａもしくは反時計方向選択スイッチ５５ｂを選択的にオンすることにより、ベッドフレーム２０の外端面を好みの色（基本パターン）で発光させたり、発光の循環方向を時計方向にしたり、反時計方向にしたりして、間接照明をイルミネーションのように楽しむことができる。
【００５６】
やがて、宿泊客がルームキーを電源スイッチ兼用ホルダーから抜き取り、フロントでチェックアウトすると（ステップＳ１０８）、フロント担当者は、その宿泊客の客室電源スイッチ５２ａをオフにして客室電源を使用不能にし（ステップＳ１０９）、さらにベッド照明制御系スイッチ５２ｂをオフにして、その客室のベッド照明制御系の電源を使用不能にする（ステップＳ１１０）。これにより、客室における無駄な電力消費を防止できる。
【００５７】
ところで、ＲＧＢ発光ダイオードモジュール２９から出射される光は比較的指向性があるので、透明板体２７に直接入射させることができる。すなわち、図７に示すように、ＲＧＢ発光ダイオードモジュール２９から出射される光は、透明板体２７の内周端面２７ｂに、内周端面２７ｂの入射点に対する垂線とのなす角度が４２．１５度（透明板体２７の臨界角）以内となるように入射させることができる。このようにすれば、一部の入射光は透明板体２７を直接通過して透明板体２７の外周端面２７ａ（図１参照）から外部に出射し、他部の入射光は透明板体２７の内周端面２７ｂと垂直な上平面２７ｃおよび下平面２７ｄで全反射を繰り返して透明板体２７の外周端面２７ａ（図１参照）から外部に出射される。
【００５８】
このため、透明板体２７を入射光がほとんど失われることなしに通過するために比較的小さな出力のＲＧＢ発光ダイオードモジュール２９でも透明板体２７の外周端面２７ａを効率良く光らせることができるので省エネルギーとなり、またＲＧＢ発光ダイオードモジュール２９の配置位置が比較的自由に選択できるためにベッドＢＤ１の設計の自由度を高めることができる。
【００５９】
なお、上記の実施例１の動作の説明では、ベッドＢＤ１がホテル等の宿泊施設に設置されていることを前提として説明したが、ベッドＢＤ１が自宅等の他の場所に設置されている場合でも、本発明が同様に適用できることはいうまでもない（以下同様）。
【実施例２】
【００６０】
図８に示すように、本発明の実施例２に係るベッドＢＤ２は、ベッドフレーム２０Ａの構造を除いては、実施例１に係るベッドＢＤ１に同様に構成されているので、対応する部分に同一符号を付して、それらの詳しい説明を省略する。
【００６１】
ベッドフレーム２０Ａは、フレーム板２１Ａと、床板２２と、フレーム板２１Ａに形成された溝２３Ａと、溝２３Ａに固設された付設部材２４Ａと、付設部材２４Ａに付設されたＲＧＢ発光テープ２５と、フレーム板２１Ａ上に載置された透明板体２７Ａとから、その主要部が構成されている。なお、フレーム板２１Ａおよび透明板体２７Ａは、図示しないビス、接着剤等の固定手段により一体化されている。
【００６２】
フレーム板２１Ａに溝２３Ａが形成され、溝２３Ａに固定された付設部材２４Ａの上面にＲＧＢ発光テープ２５が、透明板体２７Ａの内端縁側下面に対向するように付設されている。このように、ＲＧＢ発光テープ２５を透明板体２７Ａの内端縁側下面と対向するように配置すると、ＲＧＢ発光ダイオードモジュール２９から出射される光は、透明板体２７Ａの厚み方向に進み、一部は透明板体２７Ａの上面を透過して出射されるが、他部は透明板体２７Ａの上面で反射する。透明板体２７Ａの上面で反射された光は、透明板体２７Ａの下面で反射される。このような反射を繰り返すことにより、ベッドフレーム２０Ａに露呈する透明板体２７Ａの上面および外端面がＲＧＢ発光ダイオードモジュール２９からの光で帯状に広く光ることになる。
【００６３】
なお、ＲＧＢ発光ダイオードモジュール２９から出射される光は透明板体２７Ａの上面および下面で反射を繰り返すために、実施例１に係るベッドＢＤ１には光拡散板は必要ないが、光拡散板をＲＧＢ発光テープ２５の前面側に配置してもよいし、透明板体２７Ａの内端縁側下面にすりガラス状の疎面加工を施して拡散性を向上させるようにしてもよい。
【００６４】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【００６５】
例えば、図９は、図１に示した実施例１のベッドの変形例を示す斜視図である。すなわち、図９に示すように、ベッドＢＤ３は、ヘッドボード４０Ａの手前面に十字状の溝（図示省略）を形成し、この溝内部にＲＧＢ発光ダイオードモジュール２９を所定間隔ごとに連設したヘッドボード用ＲＧＢ発光テープ５７（図５参照）を配置する。このヘッドボード用ＲＧＢ発光テープ５７のＲＧＢ発光ダイオードモジュール２９の配置は、実施例１および実施例２の場合に同じであり（図３（Ｃ）参照）、また、透明板体２７Ａは、図１に示したように、その外端面がヘッドボード４０Ａの手前側に向くように配置する。この場合のヘッドボード用ＲＧＢ発光テープ５７の点滅制御は、図５に示したヘッドボード用スイッチ５８（図５参照）および基本パターン選択スイッチ群５４ならびに循環パターン選択スイッチ群５５により行う。
【００６６】
また、図１０は、図８に示した実施例２に係るベッドの変形例を示す斜視図である。すなわち、図１０に示すように、ベッドＢＤ４のヘッドボード４０Ａの手前面に十字状の溝（図示省略）を形成し、この溝内部にヘッドボード用ＲＧＢ発光テープ５７を配置する。このヘッドボード用ＲＧＢ発光テープ５７の配置・構成は、図９に示した実施例１の変形例の場合と同様であるので、その詳しい説明を省略する。
【産業上の利用可能性】
【００６７】
本発明は、ベッド以外にも家具類や大型家電製品（例えば、電気冷蔵庫）などに利用することができる。
【符号の説明】
【００６８】
ＢＤ１〜ＢＤ４  ベッド
ＬＫ  ベッド照明制御系
１０  基台
２０、２０Ａ  ベッドフレーム
２１  下部フレーム板
２１Ａ  フレーム板  
２２  床板
２３  段差部
２４  付設部材
２５  ＲＧＢ発光テープ
２５ａ〜２５ｃ  右手側、足側および左手側ＲＧＢ発光テープ
２７  透明板体
２８  上部フレーム板
２９  ＲＧＢ発光ダイオードモジュール（発光体）
３０  マット
４０  ヘッドボード
５１  制御部（発光制御手段）
５２  フロントスイッチ
５２ａ  客室電源スイッチ
５３ｂ  ベッド照明制御系スイッチ
５４  基本パターン選択スイッチ群（発光制御手段）
５４ａ〜５４ｇ  基本パターン選択スイッチ
５５  循環パターン選択スイッチ群（発光制御手段）
５５ａ  時計方向選択スイッチ
５５ｂ  反時計方向選択スイッチ
５７  ヘッドボード用ＲＧＢ発光テープ
５８  ヘッドボード用スイッチ
【図１】
2011015799.tif 000003
【図２】
2011015799.tif 000004
【図３】
2011015799.tif 000005
【図４】
2011015799.tif 000006
【図５】
2011015799.tif 000007
【図６】
2011015799.tif 000008
【図７】
2011015799.tif 000009
【図８】
2011015799.tif 000010
【図９】
2011015799.tif 000011
【図１０】
2011015799.tif 000012